(57)【要約】      （修正有）【課題】地震による揺れを吸収できるエスカレータを提供する。【解決手段】建屋１の上階側の受台２と下階側の受台３との間に掛け渡されて設置されるエスカレータ１０のトラス１２と、前記トラス１２の上下両端部にそれぞれ設けられ前記各受台２、３に載置される支持アングル２８、３０と、前記支持アングル２８、３０と前記各受台２、３との間に設けられた複数の防振体３２、４０と、を有し、地震により上下方向に揺らされても防振体３２、４０内の複数枚の皿バネによってこれを吸収でき、また、上階側及び下階側の建屋梁４、５の間隔が拡大させられても防振体３２、４０が溝に沿って移動することでこれに対応でき、さらに左右方向に揺らされても防振体３２、４０の外径寸法が溝の左右方向の内寸とほぼ同じであるため左右にずれることがない。【選択図】図１
2013241227.tif 000002
【特許請求の範囲】
【請求項１】
建屋の上階側の建屋梁の受台と下階側の前記建屋梁の受台の間に掛け渡されて設置されるエスカレータのトラスと、
前記トラスの上下両端部にそれぞれ設けられ、前記各受台に載置される支持アングルと、
前記支持アングルと前記受台との間に、前記トラスの左右方向に沿って設けられた複数の防振体と、
を有するエスカレータ。
【請求項２】
前記受台には、溝が前後方向に設けられ、
前記防振体の上部は前記支持アングルに固定され、前記防振体の下部は前記溝に嵌合している、
請求項１に記載のエスカレータ。
【請求項３】
前記溝の両端部は閉塞されている、
請求項２に記載のエスカレータ。
【請求項４】
前記防振体は、前記支持アングルに固定され、かつ、上下方向に伸縮自在である、
請求項１乃至３のいずれか一項に記載のエスカレータ。
【請求項５】
前記防振体の底部に摺動部材が設けられている、
請求項２乃至４のいずれか一項に記載のエスカレータ。
【請求項６】
前記防振体の内部に、複数枚の皿バネが上下方向に重ねて内蔵されている、
請求項１乃至５のいずれか一項に記載のエスカレータ。
【請求項７】
前記皿バネの枚数が、調整可能である、
請求項６に記載のエスカレータ。
【発明の詳細な説明】
【技術分野】
【０００１】
本実施形態は、エスカレータに関するものである。
【背景技術】
【０００２】
従来、エスカレータの建屋への設置は、上階の建屋梁と下階の建屋梁との間にトラスを掛け渡し、上階又は下階のどちらか一方を固定し、他端を自由端としている。そして、トラスの高さについては、ライナー又はジャッキアップボルトで調整している。
【０００３】
ところが、地震による揺れによってライナーがずれたり、ジャッキアップボルトが建屋梁に設けられた受台から落ちてかかり代が足らなくなり、建屋梁の間の層間変形角が大きくなると、エスカレータが落下する可能性があった。
【０００４】
そこで、従来より、地震のときにエスカレータが落下しないようにするために、トラスの下端部を建屋に固定手段を介して固定したり、また、支持フレームと受台の間にトラスの前後方向にのみ追従可能な滑動部を設け、トラスが地震で揺れても、この滑動部によってその動きを吸収できるものが提案されている。
【先行技術文献】
【特許文献】
【０００５】
【特許文献１】特開２００８−１９５４７５号公報
【特許文献２】特開２００１−１５８５８５号公報
【発明の概要】
【発明が解決しようとする課題】
【０００６】
しかし、上記のようにトラスを建屋に固定すると、地震による揺れがそのままエスカレータに伝わり、エスカレータが破壊されることがある。また、支持フレームと受台との間に滑動部を設けただけでは、上下方向の揺れを吸収できないという問題点があった。
【０００７】
そこで、本発明は上記問題点に鑑み、地震による上下方向の揺れを吸収できるエスカレータを提供することを目的とする。
【課題を解決するための手段】
【０００８】
本実施形態は、建屋の上階側の建屋梁の受台と下階側の前記建屋梁の受台の間に掛け渡されて設置されるエスカレータのトラスと、前記トラスの上下両端部にそれぞれ設けられ、前記各受台に載置される支持アングルと、前記支持アングルと前記受台との間に、前記トラスの左右方向に沿って設けられた複数の防振体と、を有するエスカレータである。
【図面の簡単な説明】
【０００９】
【図１】本実施形態のエスカレータの外観図である。
【図２】上階側の支持アングルと受台の斜視図である。
【図３】受台に載置された支持アングルの平面図である。
【図４】防振体の縦断面図である。
【発明を実施するための形態】
【００１０】
以下、本実施形態のエスカレータ１０について、図１〜図４に基づいて説明する。
【００１１】
（１）エスカレータ１０の構造
エスカレータ１０の構造について図１に基づいて説明する。
【００１２】
エスカレータ１０のトラス１２は、建屋１の上階側の建屋梁４に設置された受台２と下階側の建屋梁５に設置された受台３との間に架け渡されている。トラス１２は、上階側の水平トラス１４、傾斜トラス１６、下階側の水平トラス１８とよりなる。上階側の水平トラス１４の内部は、機械室２０である。機械室２０内部には、エスカレータ１０を駆動させる不図示の踏段駆動機構が設けられている。また、傾斜トラス１６には、無端状の踏段チェーンによって駆動する踏段２２が設けられ、前記した踏段駆動機構によって上側又は下側に移動する。
【００１３】
トラス１２の上面両側には、左右一対の欄干２４が設けられ、欄干２４には、踏段２２と同期して移動する手摺ベルト２６が設けられている。
【００１４】
上階側の支持アングル２８は、水平な載置板３６と、この載置板３６の端部から下方に延設された固定板３８とから構成され、載置板３６は防振体３２を介して上階側の受台２に載置され、固定板３８は水平トラス１４の端部に固定されている。この構造については後から詳しく説明する。
【００１５】
下階側の支持アングル３０も、水平な載置板４２と載置板４２の端部から下方に延設された固定板４４とから構成され、載置板４２は防振体４０を介して下階側の受台３に載置され、固定板４４は水平トラス１８の端部に固定されている。また、この下階側の支持アングル３０の位置決めのために下階側の受台３には、Ｌ字状に折曲された位置決め板３４が設けられている。
【００１６】
（２）支持アングル２８の取り付け構造
次に、支持アングル２８を受台２に取り付ける構造について説明する。
【００１７】
受台２には、トラス１２の前後方向に延びる溝４６が、図３に示すように、所定間隔を開けて左右方向に並んだ状態で６個設けられている。この溝４６の前端部及び後端部は閉塞されている。
【００１８】
支持アングル２８の載置板３６に取り付けられた防振体３２は、図２〜図４に示すように円筒型であって、断面形状が円形の上筒体４８と下筒体５０とより構成されている。図４に示すように、上筒体４８は、載置板３６に溶接等で固定され、上筒体４８の下端面は開口している。上筒体４８の中心部には、ボルト５２が上下方向に取り付けられている。図４に示すように、下筒体５０は、上筒体４８内に下方から収納され、上筒体４８と下筒体５０の間には、複数枚の皿バネ５４が内蔵されている。この皿バネ５４は、ボルト５２にその中心部が取り付けられ、固定された上筒体４８に対し下筒体５０が上下方向に摺動する。皿バネ５４の取り付け方についてさらに詳しく説明する。皿バネ５４は、図４に示すように、中央部分が周辺部よりも膨出している。そのため、上筒体４８にある皿バネ５４は、中央部分が下側に膨出した状態で複数枚積層され、逆に、下筒体５０にある皿バネ５４は、中央部分が上方に膨出した状態で複数枚積層されている。これにより、上下において互いに膨出部分が当接するように皿バネ５４が取り付けられ、上下方向の振動を吸収できる。下筒体５０の底面には、摺動部５６が設けられ、上記した溝４６に載置されている。この摺動部５６は、溝４６内部を滑り易くするもであり、例えば摩擦係数の小さい合成樹脂板などである。以上により、図２と図３に示すように、防振体３２は、前後方向に延びた溝４６に対し摺動自在であり、溝４６の前端部から後端部に移動可能となっている。
【００１９】
支持アングル３０と受台３の間にも同様の構成を有する防振体４０が設けられ、また、受台３にも溝４６が設けられている。
【００２０】
（３）防振体３２，４０の動作状態と効果
次に、防振体３２，４０の動作状態について説明する。
【００２１】
まず、支持アングル２８及び支持アングル３０は、受台２，３にそれぞれ防振体３２，４０を介して載置する。この場合に、支持アングル２８の高さ調整をするために、防振体３２の高さ調整を行う。この高さ調整は、皿バネ５４の枚数によって行い、上筒体４８を下筒体５０から取り外し、その皿バネ５４の枚数を変化させる。防振体４０においても同様に内蔵している皿バネ５４の枚数を調整することにより、支持アングル３０の高さ調整を行う。なお、この皿バネ５４の枚数を調整する場合に、バネの反作用による上下方向の振動も考慮する。
【００２２】
エスカレータ１０が通常の状態で動作している場合には、エスカレータ１０の重みによって、支持アングル２８及び支持アングル３０は防振体３２及び防振体４０を上方から押圧し、受台２及び受台３に対し固定した状態となっている。
【００２３】
そして、地震によりエスカレータ１０が揺れた場合には、上下方向の揺れに対しては、防振体３２及び防振体４０内部にある複数枚の皿バネ５４によって、上下方向の振動を吸収でき、エスカレータ１０にその揺れの力が伝わることがない。また、地震によってエスカレータ１０の上階側と下階側の建屋梁の間隔が拡大しても、上階側の防振体３２は溝４６に沿って移動し、また、下階側の防振体４０も溝４６に沿って移動するため、その拡大寸法を吸収でき、最悪の状態であるエスカレータ１０の落下を防止できる。左右方向の揺れに対しては、防振体３２，４０の外径寸法が溝４６の左右方向の内寸とほぼ同じであるため、エスカレータ１０が左右方向に揺れることがない。なお、防振体３２が溝４６内部で摺動する場合に、下筒体５０の底面に摺動部５６が設けられているため、スムーズに移動できる。
【００２４】
（４）変更例
次に、上記実施形態のエスカレータ１０の変更例について説明する。
【００２５】
上記実施形態では防振体３２及び防振体４０内部には複数の皿バネ５４を内蔵したが、これに代えて、コイル状バネを内蔵したり、油圧ダンパを用いてもよい。
【００２６】
また、上記実施形態では上階側と下階側の両方に防振体３２，４０を設けたが、どちらか一方の階に防振体３２を設け、他端は固定してもよい。
【００２７】
上記では本発明の一実施形態を説明したが、この実施形態は、例として提示したものであり、発明の範囲を限定することは意図していない。これら新規な実施形態は、その他の様々な形態で実施されることが可能であり、発明の主旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【符号の説明】
【００２８】
１・・・建屋、２・・・受台、３・・・受台、１０・・・エスカレータ、１２・・・トラス、２８・・・支持アングル、３０・・・支持アングル、３２・・・防振体、４０・・・防振体、４６・・・溝、４８・・・上筒体、５０・・・下筒体、５２・・・ボルト、５４・・・皿バネ、５６・・・摺動部
【図１】
2013241227.tif 000003
【図２】
2013241227.tif 000004
【図３】
2013241227.tif 000005
【図４】
2013241227.tif 000006